(57)【特許請求の範囲】
【請求項１】
一端に飲食するために必要な機能を有する作用部が形成された把持部と、前記把持部の他端に、ヒンジを介して連設されるクリップ部とからなる飲食用具であって、
前記クリップ部は未使用時は、断面視、前記把持部と重ならないように前記作用部と対向して把持部に収納され、
前記ヒンジは、使用時に前記クリップ部を把持部の外方側に約１８０度折り返すものであり、折り返し後に前記クリップ部と把持部とが任意の嵌合手段によって固定されることを特徴とする飲食用具。
【請求項２】
前記作用部とクリップ部が平板状に成形されたことを特徴とする請求項１に記載の飲食用具。
【請求項３】
前記作用部および／またはクリップ部に補強用のリブを設けたことを特徴とする請求項１または２に記載の飲食用具。
【請求項４】
前記嵌合手段は、前記把持部に形成した挿通孔とクリップ部に形成した突起であり、
前記挿通孔の径は、前記突起の径より小さく、
前記クリップ部を折り返すと前記挿通孔と突起とが嵌着できることを特徴とする、請求項１〜３のいずれかに記載の飲食用具。
【発明の詳細な説明】
【０００１】
【発明の属する技術分野】
本発明は、マドラー、フォーク、スプーン、ナイフ等として使用できる使い捨ての飲食用具に関するものである。
【０００２】
【従来の技術】
従来、例えば実公平４−２７４１２号公報で開示されているように、容器等に取り付けられて使用されるスプーン等の使い捨ての合成樹脂製飲食用具は知られている。この公報に開示されているスプーンは柄の部分が２つ折りに成形され、容器に取り付けるときには、その２つ折りできる部分を折り畳んで重ね合わせ、使用時にはその折り畳んだ柄の部分を伸ばして使用するようになっている。
また、例えばカップ入りのインスタントコーヒー等の場合には、コーヒー、砂糖、ミルク、マドラー等がカップに同封されるが、この場合の合成樹脂製マドラーはカップに収納できる大きさでなければならず、かつ、お湯を注いでかき混ぜる際には、火傷を防ぐためにある程度の長さが必要であり、このために、例えばそのマドラーを上記のように２つ折りに成形したり、２部材に構成して、使用時にはそれらを接合して長くするような考案が従来よりされていた。
【０００３】
【発明が解決しようとする課題】
しかしながら、使用時に伸ばすような２つ折りに成形すると、容器に取り付ける際には、それらを成形後に２つに折り畳むなどの工程が必要となり、袋詰めなどをする場合にも、その加工賃が高くつくなどの問題があった。しかも、その２つ折り可能な部分を約９０度に折り曲げた状態で成形される金型を作製しなければならないため、金型代が高くつくなどの問題もあった。
また、２部材で構成しても、成形に必要な樹脂量が増加するので、基本的に使い捨てされるこのような飲食用具にはコスト的に適さないという問題があった。
そこで、本発明は、従来よりも低コストで生産可能な使い捨ての飲食用具を得ることを目的とするものである。
【０００４】
【課題を解決するための手段】
以上のような目的を達成するために、本発明は、次のような飲食用具を提供するものである。すなわち、一端に飲食するために必要な機能を有する作用部が形成された把持部と、前記把持部の他端に、ヒンジを介して連設されるクリップ部とからなる飲食用具であって、前記クリップ部は未使用時は、断面視、前記把持部と重ならないように前記作用部と対向して把持部に収納され、前記ヒンジは、使用時に前記クリップ部を把持部の外方側に約１８０度折り返すものであり、折り返し後に前記クリップ部と把持部とが任意の嵌合手段によって固定されることを特徴とする飲食用具である。そして、その作用部とクリップ部を平板状に成形し、これら各部に補強用リブを設けたこと特徴とするものである。
【０００５】
【発明の実施の形態】
以下、本発明の実施の形態を図面に示す実施例を基に説明するが、本実施例では飲食用具の一例としてマドラーを例にとる。
図１（ａ）は本発明にかかる第１実施例のマドラーの正面図、（ｂ）は（ａ）の底面図、（ｃ）は（ｂ）のＢ矢視図、（ｄ）は（ｂ）のＣ矢視図、図２（ａ）は背面図、（ｂ）は図１のＡ−Ａ断面図、（ｃ）は図１のＤ−Ｄ断面拡大図、図３（ａ）はそのマドラーの使用状態を示す正面図、（ｂ）は（ａ）の底面図、（ｃ）は（ａ）のＥ−Ｅ断面図、図４は本発明の第１実施例にかかるマドラーを説明する斜視図である。
そして、図５（ａ）は本発明にかかる第２実施例のマドラーの正面図、（ｂ）は（ａ）の底面図、（ｃ）は（ｂ）のＢ矢視図、（ｄ）は（ａ）のＡ−Ａ断面図、（ｅ）は（ｂ）のＣ−Ｃ断面拡大図、図６（ａ）はそのマドラーの使用状態を示す正面図、（ｂ）は（ａ）のＤ−Ｄ断面図、図７は本発明の第２実施例にかかるマドラーを説明する斜視図である。
【０００６】
まず、本発明にかかる第１実施例を図１乃至図４に基づいて説明する。
本発明にかかる合成樹脂製マドラーは、平板状の把持部（１）の一端に、飲食するために必要な機能を有する平板状の作用部（２）が一体的に形設され、他端に、カップ（９）等の縁部に挟入して止めるクリップ部（６）が薄肉に形成したヒンジ部（３）を介して一体的に連設されており、クリップ部（６）との先端と作用部（２）の先端とが若干の間隙を隔てて互いに対向するような状態にし、金型で成形されるようになっている。
そして、使用時には、クリップ部（６）をヒンジ部（３）によって外方側に約１８０度折り返し、任意の嵌合手段によって、そのクリップ部（６）を把持部（１）に固定するようになっている。
【０００７】
嵌合手段を以下に説明する。
図に示す嵌合手段は、クリップ部（６）におけるヒンジ部（３）の近傍に円柱状の突起（４）を設け、クリップ部（６）を折り返したときに、その突起（４）が当接する把持部（１）の端部に挿通孔（５）を穿設して、両者が嵌合するように構成したものであって、突起（４）が容易に抜けないように、挿通孔（５）の径が突起（４）の径よりも若干小さめになっているものである。
【０００８】
本発明にかかる第２実施例を図５乃至図７に基づいて説明する。
本発明にかかる合成樹脂製マドラーは、端部に丸みを帯びた細長い略矩形状に形成され、平板状の略矩形状の把持部（１１）の一端に、飲食するために必要な機能のを有する作用部（１２）が一体的に形設され、この把持部（１１）の一方の端部内側に、薄肉に形成したヒンジ部（１３）を介して一体的に連接された平板状のクリップ部（１６）からなり、クリップ部（１６）が把持部（１１）の略中央内方側に位置した状態に、金型が成形されるようになっている。
そして、使用時には、クリップ部（１６）をヒンジ部（１３）によって外方側に約１８０度折り返し、任意の嵌合手段によって、そのクリップ部（１６）を把持部（１１）に固定するようになっている。
【０００９】
嵌合手段を以下に説明する。
クリップ部（１６）におけるヒンジ部（１３）の近傍に円柱状の突起（１４）を設け、クリップ部（１６）を折り返したときに、その突起（１４）が当設する把持部（１１）の端部に挿通孔（１５）を穿設して、両者が嵌合するように構成したものであって、突起（１４）が容易に抜けないように、挿通孔（１５）の径が突起（１４）の径よりも若干小さめになっているものである。
【００１０】
また、本発明にかかる実施例１及び２にかかる飲食用具の材質としては、ポリスチレン（ＰＳ）、ポリプロピレン（ＰＰ）、ポリエチレン（ＰＥ）、ポリアセタール（ＰＯＭ）などの熱可塑性樹脂が考えられるが、ヒンジ部（３）を形成する必要があることからポリプロピレン（ＰＰ）が最も好ましい。
しかしながら、ポリプロピレン（ＰＰ）では強度的に弱くなってしまうので、本発明では、補強用のリブを適宜箇所に設けている。すなわち、各図で示すように、作用部（１２）にリブ（１７）を設けるとともに、把持部（１）にはリブ（７）を設けている。リブ（７）はヒンジ部（３）の近傍から把持部（１）の略中央部を介して作用部（２）の先端に向かって、作用部（２）の全長の約２／３位のところまで連続して設けられ、把持部（１）の直状になっている部分に所定長設けられている。また、クリップ部（６）（１６）にはリブ（８）（１８）が設けられている。なお、これらリブ（７）（１７）、（８）（１８）の幅や突出高さは、約１ｍｍ程度あれば十分である。
【００１１】
以上のような構成のマドラーによれば、未使用時、即ちクリップ部（２）（１２）を折り返さないときには、把持部（１）（１１）の長さ分だけしか全長がないため、カップ入りインスタントコーヒー等に同封する場合に、容易にカップに収納することができ、使用時にはクリップ部（６）（１６）を折り返して全長を長くして使用することができるため、お湯を注いでかき混ぜるときに、火傷をする心配がない。また、把持部（１）（１１）にはクリップ部（６）（１６）が設けられているので、カップ（９）等の縁部に簡単に止めておくことができ、飲むときに、マドラーを邪魔にならないように処置することができる。
なお、図示のものはマドラーであるため、作用部（２）（１２）の先端はフラットな略矩形状になっているが、作用部（２）（１２）の先端形状はフォーク、ナイフ、スプーン等、飲食のために必要な任意の形状に成形されるものである。
【００１２】
何れにしても、本発明の飲食用具は、把持部に設けた飲食するために必要な機能を有する作用部とクリップ部の先端とが互いに対向するように成形されるため、全体をコンパクトに構成でき、かつ、薄い平板状に成形できるため、金型での成形性が非常によく、樹脂量も少なくて済む。したがって、従来よりも低コストで多量に生産することができる。また、成形後に袋詰めする場合にも従来のように２つに折り畳むような工程が不要であるため、加工賃が安く済む利点がある。
【００１３】
【発明の効果】
以上、本発明の飲食用具によれば、把持部の一端に飲食するために必要な機能を有する作用部を一体的に形成するとともに、他端に該作用部と対向するように、クリップ部をヒンジを介して一体的に連設し、そのクリップ部は未使用時には把持部に収納され、使用時にはヒンジ部によって外方側に折り返し、任意の嵌合手段によってそのクリップ部を把持部に固定するように構成したので、未使用時において全体をコンパクトに構成できる。また、把持部と作用部を平板状に成形したので、樹脂量が少なくて済み、かつ金型での成形性もよくなって、低コストな生産が実現できる。そして、作用部や把持部に補強用のリブを設けたので、ポリプロピレンなどの材質で作製しても十分に強度を持たせることができる。
【図面の簡単な説明】
【図１】（ａ）は本発明にかかる第１実施例のマドラーの正面図
（ｂ）は（ａ）の底面図
（ｃ）は（ｂ）の矢視図
（ｄ）は（ｂ）の矢視図
【図２】（ａ）は図１のマドラーの背面図
（ｂ）は図１のＡ−Ａ断面図
（ｃ）は図１のＤ−Ｄ断面図
【図３】（ａ）は図１のマドラーの使用状態を示す正面図
（ｂ）は（ａ）の底面図
（ｃ）は（ａ）のＥ−Ｅ断面図
【図４】本発明の第１実施例にかかるマドラーの実施態様を説明する斜視図
【図５】（ａ）は本発明にかかる第２実施例のマドラーの正面図
（ｂ）は（ａ）の底面図
（ｃ）は（ｂ）のＢ矢視図
（ｄ）は（ａ）のＡ−Ａ断面図
（ｅ）は（ｂ）のＣ−Ｃの断面拡大図
【図６】（ａ）は図４のマドラーの使用状態を示す正面図
（ｂ）は（ａ）のＤ−Ｄ断面図
【図７】本発明の第２実施例にかかるマドラーの実施態様を説明する斜視図
【符号の説明】
１  、１１    把持部
２  、１２    作用部
３  、１３    ヒンジ部
４  、１４    突起
５  、１５    挿通孔
６  、１６    グリップ部
７  、１７    リブ
８  、１８    リブ
９            カップ
【図１】
0004558928.tif 000002
【図２】
0004558928.tif 000003
【図３】
0004558928.tif 000004
【図４】
0004558928.tif 000005
【図５】
0004558928.tif 000006
【図６】
0004558928.tif 000007
【図７】
0004558928.tif 000008